(57)【特許請求の範囲】
【請求項１】
暖房運転時の室外熱交換器の温度である室外熱交温度が予め定めた第１の除霜領域に到達し、暖房起動もしくは除霜復帰後所定時間における室外熱交温度の最低値と上記室外熱交温度との差である低下値が所定値以上になったときに、除霜運転を開始させる制御手段を有する空気調和機において、上記制御手段に、上記室外熱交温度が予め定めた第２の除霜領域内に到達したときに、除霜運転を、上記暖房起動時もしくは除霜復帰時から所定時間経過毎に開始させる除霜運転制御手段を設けたことを特徴とする空気調和機。
【請求項２】
暖房運転時の室外熱交換器の温度である室外熱交温度が予め定めた第１の除霜領域に到達し、暖房起動もしくは除霜復帰後所定時間における室外熱交温度の最低値と上記室外熱交温度との差である低下値が所定値以上になったときに、除霜運転を開始させる制御手段を有する空気調和機において、上記制御手段に、上記室外熱交換器の最低値が予め定めた第２の除霜領域内に到達したときに、除霜運転を、上記暖房起動時もしくは除霜復帰時から所定時間経過毎に開始させる除霜運転制御手段を設けたことを特徴とする空気調和機。
【請求項３】
暖房運転時の室外熱交換器の温度である室外熱交温度が予め定めた第１の除霜領域に到達し、暖房起動もしくは除霜復帰後所定時間における室外熱交温度の最低値と上記室外熱交温度との差である低下値が所定値以上になったときに、除霜運転を開始させる制御手段を有する空気調和機において、上記制御手段に、外気温度が予め定めた第２の除霜領域内に到達したときに、除霜運転を、上記暖房起動時もしくは除霜復帰時から所定時間経過毎に開始させる除霜運転制御手段を設けたことを特徴とする空気調和機。
【請求項４】
除霜運転制御手段は、外気温度に応じて、除霜運転を所定時間経過毎に開始させる当該所定時間を制御する機能を有することを特徴とする請求項１ないし請求項３のいずれかに記載の空気調和機。
【請求項５】
外気温度が低くなるに従って前記所定時間を長くすることを特徴とする請求項４記載の空気調和機。
【請求項６】
除霜運転制御手段は、室外熱交温度に応じて、除霜運転を所定時間経過毎に開始させる当該所定時間を制御する機能を有することを特徴とする請求項１記載の空気調和機。
【請求項７】
室外熱交温度が低くなるに従って前記所定時間を長くすることを特徴とする請求項６記載の空気調和機。
【請求項８】
除霜運転制御手段は、室外熱交温度の最低値が低くなるに従って、除霜運転を所定時間経過毎に開始させる当該所定時間を長くなるよう制御する機能を有することを特徴とする請求項１記載の空気調和機。
【発明の詳細な説明】
【０００１】
【発明の属する技術分野】
本発明は暖房運転中に除霜運転を行なう制御手段を具備したヒートポンプ型空気調和機に係り、特に、暖房運転中に、所定時間経過毎に除霜運転を開始させる除霜運転制御手段を設けた空気調和機に関する。
【０００２】
【従来の技術】
一般に、この種のヒートポンプ型空気調和機では、暖房運転中に、四方弁の切換操作により、冷凍サイクルの冷媒の循環方向を逆転させることにより、室外熱交換器を凝縮器として作用させる除霜運転を行なって、この室外熱交換器の着霜を除霜することができる。しかし、低外気温度の暖房運転時には、室外熱交換器の着霜過剰による暖房能力低下と、この暖房能力低下を補償するために上昇される圧縮機の運転周波数（単位時間当りの回転数）の上昇に伴う吐出温度の上昇による圧縮機のケースサーモ異常と、を生ずる場合がある。
【０００３】
これらの課題に対し、従来の空気調和機は次のように対応している。
【０００４】
（１）室外熱交換器の着霜過剰に対しては、図８で示す、いわゆる低下量検出方式により設定された除霜運転開始条件が充足されたときに、暖房運転中に除霜運転を開始させる制御手段を設けている。
【０００５】
この低下量検出方式は、暖房起動時、あるいは除霜運転から暖房運転へ復帰時（図８では０時間）から所定時間（例えば１０分）経過してサイクル温度が安定した後、所定時間（例えば５分間）の室外熱交温度最低値ＴＥ０検出時間において、室外熱交換器の温度（以下、室外熱交温度ＴＥという）が最も低下したときの最低値ＴＥ０を検出し、この最低値ＴＥ０に対する室外熱交温度ＴＥとその低下量（ＴＥ０−ＴＥ）に応じて、除霜運転をそれぞれ開始させる領域を、図９にも示すように例えば３つＡ，Ｂ，Ｃのゾーンにそれぞれ設定している。そして、室外熱交温度ＴＥまたはこれと熱交温度最低値ＴＥ０との差がＡ，Ｂ，Ｃゾーンのいずれかの領域にそれぞれ到達し、その到達が所定時間（例えば３分間）継続したときに、除霜運転が開始される。
【０００６】
（２）一方、吐出温度上昇に対しては、圧縮機の吐出温度を検出する吐出温度センサを設け、この吐出温度センサにより所定の吐出温度上昇を検出したときに、圧縮機の運転周波数を低下させて圧縮機のケースサーモ異常を防止するように構成している。
【０００７】
これに対し、吐出温度センサを設けない吐出温度推定方式もある。この方式は、吐出温度を、室内熱交温度センサと室外熱交温度センサとによる両検出温度と、圧縮機の運転周波数の関数とにより推定し、吐出温度上昇に対応するものである。
【０００８】
【発明が解決しようとする課題】
しかしながら、上記のように吐出温度センサを設ける従来例では、その分コストがアップするという課題がある。
【０００９】
また、上記のように吐出温度センサを設けない吐出温度推定方式では、冷媒が循環する冷媒配管が短かい短配管接続の場合に室内熱交温度センサによる検出温度が低くなり過ぎてしまう場合がある。
【００１０】
すなわち、図１０に示すように、室外熱交換器の着霜量が増えると、室外熱交換器での冷媒蒸発量が減少するので、その分、圧縮機への冷媒の液バック量が増加する。これを防止するために、電子膨張弁が絞られ、室内熱交換器への冷媒ホールド量が増加して行くので、室内熱交温度センサの位置で過冷却状態になる。このために、吐出温度を低目に推定してしまうので、コンプレッサのケースサーモによる異常停止に至ってしまうという課題がある。
【００１１】
さらに、長配管接続や冷媒量不足による室外熱交温度ＴＥの最低値ＴＥ０の低下、その最低値ＴＥ０の検出後の外気条件の変化等の場合には、これらＴＥやこれとＴＥ０との差が除霜開始領域Ａ，Ｂ，Ｃ内に入りにくくなって除霜運転が開始し難くなり、着霜過剰による暖房能力低下を招くという課題がある。
【００１２】
本発明はこのような事情を考慮してなされたもので、その目的は、吐出温度センサの有無に拘らず、圧縮機のケースサーモによる異常停止と、室外熱交換器の着霜過剰による暖房能力の低下を防止することができる空気調和機を提供することにある。
【００１３】
【課題を解決するための手段】
請求項１ないし３の発明は、暖房運転時の室外熱交換器の温度である室外熱交温度が予め定めた第１の除霜領域に到達し、暖房起動もしくは除霜復帰後所定時間における室外熱交温度の最低値と上記室外熱交温度との差である低下値が、所定値以上になったときに、除霜運転を開始させる制御手段を有する空気調和機において、上記制御手段に、上記室外熱交温度、上記室外熱交温度の最低値、または外気温度のいずれかが予め定めた第２の除霜領域内にそれぞれ到達したときに、除霜運転を、上記暖房起動時もしくは除霜復帰時から所定時間経過毎に開始させる除霜運転制御手段を設けたことを特徴とする空気調和機である。
【００１４】
この発明によれば、暖房運転中、室外熱交温度が第１の除霜領域内に到達したとき、あるいはこの室外熱交換温度とその所定時間内の最低値との差である低下値が所定値以上のときには、除霜運転がそれぞれ開始される。
【００１５】
一方、外気温度、室外熱交温度およびその最低値のいずれかが第２の除霜領域に到達したときには、暖房起動時あるいは除霜運転復帰時（以下暖房起動時等という）から所定時間経過毎に、除霜運転が開始される。すなわち、従来の低下量検出方式と並行して所定時間経過毎に除霜運転を行なう除霜開始条件を設定している。
【００１６】
したがって、室外熱交温度、その最低値、外気温度のいずれかがそれぞれの第２の所定領域に到達したときには、除霜運転が開始される。しかも、その後は、仮に長配管接続や冷媒量不足の暖房起動時に室外熱交換温度の最低値が低下し、さらに、この室外熱交温度最低値検出後に外気温度が上昇して室外熱交温度も高くなったときには、これら両温度差（ＴＥ０−ＴＥ）が縮小して低下値が所定値以下になり易くなるが、一旦、第２の除霜領域に到達すると、以後、暖房起動時等から所定時間経過毎に除霜運転を毎回開始するので、室外熱交換器の着霜過剰を未然に防止することができる。このために、着霜過剰による圧縮機の運転周波数の上昇を抑制できる。
【００１７】
したがって、一旦、第２の除霜領域内において除霜運転を開始させると、以後は、所定時間経過毎に除霜運転を開始させるので、吐出温度センサがなくてもコンプレッサのケースサーモ異常に至らず暖房運転を継続することができる。すなわち、吐出温度センサを省略できるので、その分、コストを低減させることができる。
【００１８】
請求項４の発明は、除霜運転制御手段は、外気温度に応じて、除霜運転を所定時間経過毎に開始させる当該所定時間を制御する機能を有することを特徴とする請求項１ないし請求項３のいずれかに記載の空気調和機であり、請求項５の発明は、外気温度が低くなるに従って上記所定時間を長くするものである。
【００１９】
これらの発明によれば、外気温度に応じて、除霜運転を所定時間経過毎に開始させる当該所定時間を制御するので、吐出温度センサがなくてもコンプレッサのケースサーモ異常に至らず暖房運転を継続することができる。
【００２０】
請求項６の発明は、除霜運転制御手段は、室外熱交温度に応じて、除霜運転を所定時間経過毎に開始させる当該所定時間を制御する機能を有することを特徴とする請求項１記載の空気調和機であり、請求項７の発明は、室外熱交温度が低くなるに従い、上記所定時間を長くするものである。
【００２１】
これらの発明によれば、室外熱交温度に応じて、除霜運転を所定時間経過毎に開始させる当該所定時間を制御するので、吐出温度センサがなくてもコンプレッサのケースサーモ異常に至らず暖房運転を継続することができる。
【００２２】
請求項８の発明は、除霜運転制御手段は、室外熱交温度の最低値が低くなるに従い、除霜運転を所定時間経過毎に開始させる当該所定時間を長くするよう制御する機能を有することを特徴とする請求項１ないし請求項３のいずれかに記載の空気調和機である。
【００２３】
この発明によれば、室外熱交温度の最低値に応じて、除霜運転を所定時間経過毎に開始させる当該所定時間を制御するので、吐出温度センサがなくてもコンプレッサのケースサーモ異常に至らず暖房運転を継続することができる。
【００２４】
【発明の実施の形態】
以下、本発明の実施形態を図１〜図７に基づいて説明する。
【００２５】
図２は本発明の一実施形態に係る空気調和機１の冷凍サイクル図である。この空気調和機１は、コンプレッサ２、冷媒流路切り換え機能を有する四方弁３、室内ファン４ａを有する室内熱交換器４、膨張弁としての電子制御弁（ＰＭＶ）５、および室外ファン６ａを有する室外熱交換器６を、冷媒配管７を介して順次かつ環状に連通させて冷媒を可逆的に循環させる冷凍サイクルを構成している。
【００２６】
冷媒としては、Ｒ２２よりも同一温度で飽和圧力が高い、例えば５０℃における飽和圧力が２５００ｋＰａ以上の代替冷媒を用いている。なお、このような代替冷媒として特にオゾン層を破壊しないものとしては、Ｒ３２（ＣＨ2 Ｆ2 ）とＲ１２５（ＣＨＦ2 ＣＦ3 ）との合成組成が８０％以上の冷媒、Ｒ１４３ａ（ＣＨ3 ＣＦ3 ）との合成組成が８０％以上の冷媒、およびＲ３２（ＣＨ2 Ｆ2 ）の組成が４５％以上の冷媒等がある。
【００２７】
そして、空気調和機１は、室内ファン４ａおよび室外ファン６ａの運転時における四方弁３の切換制御により、冷媒を、図中実線矢印に示すように、コンプレッサ２→四方弁３→室外熱交換器（凝縮作用）６→膨張弁（ＰＭＶ）５→室内熱交換器（蒸発作用）４→四方弁３→コンプレッサ２に循環させることにより冷房運転する一方、冷媒を図中破線矢印に示すように、コンプレッサ２→四方弁３→室内熱交換器（凝縮作用）４→膨張弁５→室外熱交換器（蒸発作用）６→四方弁３→コンプレッサ２に循環させることにより暖房運転するように構成されている。
【００２８】
さらに、暖房運転時において室内ファン４ａおよび室外ファン６ａを停止させるとともに四方弁３を切り換え制御して、冷媒を暖房時における循環方向とは逆方向（図中実線矢印方向）に循環させることにより、室外熱交換器に凝縮作用をさせて除霜運転を行なうようになっている。
【００２９】
そして、コンプレッサ２、四方弁３、ＰＭＶ５、室外熱交換器６、および室外ファン６ａは、室外に設置される室外ユニット内に設けられる。また、室外ユニットには、室外熱交換器６に設置されて、その室外熱交換器６の温度を検出する室外熱交温度センサ９と、室外熱交換器６自体に、あるいはその室外熱交換器６近傍に設けられて、外気温度を検出する外気温センサ１０とを備えている。
【００３０】
また、室内熱交換器４と室内ファン４ａとは室内に設置される室内ユニット１３に設けられる。室内ユニット１３には、室内の温度を検出する室温センサ１１と、室内熱交換器４に設置されて、その室内熱交換器４の冷媒凝縮温度を検出する室内熱交温度センサ１２とを備えている。
【００３１】
図３は上記室内ユニット１３および室外ユニット１４を具備した空気調和機１全体の制御系を示す。室外ユニット１４は、例えばマイクロコンピュータを搭載した室外制御部１５を有する。この室外制御部１５は、その制御に必要な情報データ等を記憶するメモリとしてＥＥＰＲＯＭ１５ａを備えており、この室外制御部１５には交流電源供給ラインＬａと通信線Ｌｂとを介して室内制御部１６を電源供給と双方向通信可能に接続している。
【００３２】
また、室外制御部１５には、室外熱交温度センサ９、外気温センサ１０、室外ファン６ａのファンモータ６ｂを駆動制御するファン駆動回路１７、例えば電磁弁等よりなる四方弁（４Ｖ）３、電子膨張弁（ＰＭＶ）５、コンプレッサ２のモータ２に印加する印加電圧とその運転周波数を制御することにより、このモータ２ａの単位時間当りの回転数を制御するインバータ回路１８をそれぞれ電気的に接続している。
【００３３】
一方、室内ユニット１３は、例えばマイクロコンピュータを搭載した室内制御部１６を備えている。この室内制御部１６には、電源供給用の交流電源１９および遠隔操作制御用のリモコン２０がそれぞれ接続されている。
【００３４】
また、室内制御部１８には、前述した室温センサ１１、室内熱交温度センサ１２、室内ファン４ａを回転させるファンモータ（ＦＭ）２１の回転速度を制御する速度制御回路２２、上下風向調節ルーバの揺動軸を中心に回転させて揺動させるルーバモータ（ＲＭ）２３の回転角度を制御しながら駆動させるルーバ駆動回路２４をそれぞれ電気的に接続している。
【００３５】
そして、室内制御部１６には、暖房運転中に、所定の除霜運転開始条件が充足されたときに、除霜運転を開始させる除霜運転制御手段１６ａを設けている。
【００３６】
図１はこの除霜運転制御手段１６ａにより設定された除霜運転開始条件を示す模式図であり、暖房運転中に、除霜運転を開始させる条件として、例えば５つの除霜運転開始ゾーン（除霜領域）Ａ，Ｂ，Ｃ，Ｄ，Ｅを設けている。
【００３７】
これら除霜運転開始ゾーンＡ〜Ｅは、図８，図９で示す従来の、いわゆる低下量検出方式に基づいて設定された第１の除霜領域である２領域の除霜運転開始ゾーンＣ，Ａと室外熱交温度が−２０℃以下のような極低温時に低下量に関係なく除霜運転を強制実行させる除霜運転開始ゾーンに、本発明の一実施形態として今回新たに設定された第２の除霜領域である例えば２つの除霜領域の除霜運転開始ゾーンＤ，Ｅを併行条件として追加することにより構成されている。
【００３８】
すなわち、図８，図９でも示すように除霜運転開始ゾーンＡは、暖房起動時、あるいは除霜運転から暖房運転に復帰後から所定時間、例えば１０〜１５分間のＴＥ０検出時間において、室外熱交温度センサ９により検出された室外熱交換器６の温度（以下室外熱交温度ＴＥという）の最低値ＴＲ０と、このＴＥ０検出時間後の室外熱交温度ＴＥとの差（ＴＥ０−ＴＥ）、つまり低下量が所定値、例えば２．５℃以上（ＴＥ０−ＴＥ≧２．５℃）に到達し、その状態が３分間継続したときに、除霜運転を開始させる領域である。
【００３９】
また、除霜運転開始ゾーンＢは、室外熱交温度ＴＥが所定値、例えば−２０℃以下（ＴＥ≦−２０℃）に３分間継続して到達したときに、除霜運転が開始され、除霜運転開始ゾーンＣは、室外熱交温度ＴＥとその最低値ＴＥ０の差が所定値、３．０℃以上（ＴＥ０−ＴＥ≧３．０℃）に３分間継続して到達したときに除霜運転が開始されるようになっている。
【００４０】
したがって、例えば外気温度Ｔ０が０℃で暖房起動し、起動後１０〜１５分間での室外熱交温度最低値ＴＥ０が−３℃、かつ起動から３７分経過後（３４＋３分）に室外熱交温度ＴＥが−６℃以下になった時点でＣゾーンで除霜運転が開始される。さらに、外気温度が比較的に低い−５℃で暖房起動した場合、室外熱交温度最低値ＴＥ０が−８℃で、起動から３１分（２８＋３分）経過後に室外熱交温度ＴＥが−１０．５℃以下になった時点でＡゾーンで除霜運転が開始される。
【００４１】
一方、図４〜図６に示すように、本実施形態に係る除霜運転開始ゾーンＤは、外気温度Ｔ０が例えば−１０≦Ｔ０＜−５℃を充足したとき、または室外熱交温度ＴＥが−１６≦ＴＥ＜−１１℃を充足したとき、あるいは室外熱交温度最低値ＴＥ０が−１３≦ＴＥ０＜−８℃を充足したときに、除霜運転を開始させる領域である。そして、Ｄゾーンに到達すると、除霜運転制御手段１６ａにより、暖房起動時、あるいは除霜運転から暖房運転への復帰時から所定の除霜間隔時間Ｔ１（例えば８０分）経過毎に除霜運転が開始され、所定ないし所要時間除霜運転が実行される。
【００４２】
さらに、図４〜図６に示すように、外気温度Ｔ０が、Ｔ０＜−１０℃を充足したとき、または室外熱交温度ＴＥが、ＴＥ＜−１６℃を充足したとき、あるいは室外熱交温度最低値ＴＥ０が、ＴＥ０＜−１３℃を充足したときには、Ｅゾーンに入り、除霜間隔時間Ｔ１は例えば８０分から１５０分に延長され、暖房起動時等から１５０分経過毎に除霜運転が開始される。
【００４３】
そして、除霜運転制御手段１６ａは、コンプレッサ２の吐出温度の推定を、室内熱交温度センサ１２により検出された検出値、室外熱交温度センサ９により検出された検出値、コンプレッサ２の運転周波数（Ｈｚ）の関数により算出する機能を有する。したがって、コンプレッサ２の吐出温度を検出する温度センサを省略することができる。
【００４４】
なお、コンプレッサ２の吐出温度Ｔｄについては以下の通り推定することができる。
【００４５】
まず、コンプレッサ２の吐出温度Ｔｄはコンプレッサ２の圧縮行程を理想気体のポリトロープ変化と考えると、次の（１）式の状態式で算出することができる。
【００４６】
【数１】
0004156097.tif 000002
【００４７】
上記（１）式の吐出温度Ｔｄを得るためには、コンプレッサ２の吐出圧力Ｐｄ、コンプレッサの吸込圧力Ｐｓおよびコンプレッサの吸込温度Ｔｓが必要である。しかし、圧力センサは高価で、かつ、大形であるため実際的ではない。そこで、大雑把ではあるが、コンプレッサ２の吐出圧力を凝縮温度Ｔｃからの圧力変換＋圧損分ΔＰｄと見做し、また、コンプレッサ２の吸込圧力を蒸発温度Ｔｅからの圧力変換＋圧損分ΔＰｄと見做すことにより、コンプレッサ２の吐出圧力Ｐｄを凝縮器の温度Ｔｃの関数として次の（２）式で演算する。
【００４８】
【数２】
0004156097.tif 000003
【００４９】
コンプレッサ２の吸込圧力Ｐｓを蒸発器の温度Ｔｅの関数として次の（３）式で演算する。
【００５０】
【数３】
0004156097.tif 000004
【００５１】
コンプレッサ２の吸込温度Ｔｓを蒸発器の温度Ｔｅの関数として次の（４）式で演算することができる。
【００５２】
【数４】
0004156097.tif 000005
【００５３】
したがって、これらの演算結果に基づいて、コンプレッサ２の吐出温度Ｔｄを次の（５）式によって推定することができるる。
【００５４】
【数５】
0004156097.tif 000006
【００５５】
上記（２）〜（４）式中の係数または定数ａ〜ｅは実験的に近似値を決定することが可能である。また、ポリトロープ指数ｎおよび固定値αも実験的に決めることができる。なお、コンプレッサ２の吐出側の圧力Ｐｄと凝縮器の温度Ｔｃとはほぼ比例関係にあるため、係数ａは正の値をとる。
【００５６】
また、インバータ回路１８によってコンプレッサ２の回転速度を制御するものにおいても同様に（５）式によりコンプレッサ２の吐出温度Ｔｄを推定することが可能であるが、コンプレッサ２の回転速度の変化によって冷媒流量が変化し、Ｐｄ＝Ｗ（Ｔｃ）と、Ｐｓ＝Ｋ（Ｔｅ）に影響を及ぼすため、さらに、インバータ回路１８の出力周波数ＨｚをＰｄ，Ｐｓの演算要素として加えることにより、吐出温度Ｔｄをより正確に推定することが可能となる。
【００５７】
この場合、吐出圧Ｐｄを次の（６）式で演算し、
【数６】
0004156097.tif 000007
【００５８】
吸込圧力Ｐｓを次の（７）式で演算することができる。
【００５９】
【数７】
0004156097.tif 000008
【００６０】
したがって、これらの演算結果に基づいて、コンプレッサ２の吐出温度Ｔｄを次の（８）式によって推定することができる。
【００６１】
【数８】
0004156097.tif 000009
【００６２】
なお、上記（６），（７）式中の係数または定数ａ1 ，ｂ1 ，ｚ，ｃ1 ，ｄ1 ，ｘは実験的に求めることができる。
【００６３】
また、冷媒流量はコンプレッサ２の吸込圧力Ｐｓへの影響が少ないため、コンプレッサ２の吐出圧力Ｐｄについてのみインバータ回路１８の出力周波数Ｈｚを加味してコンプレッサ２の吐出温度Ｔｄを次の（９）式によって推定することもできる。
【００６４】
【数９】
0004156097.tif 000010
【００６５】
以上、（５），（８），（９）式のいずれかの関係式を用いてコンプレッサ２の吐出温度の推定を行なうことができるものであり、制御部のマイクロコンピュータによって逐次演算すればよい。
【００６６】
図７はこの除霜運転制御手段１６ａにより空気調和機１を除霜運転する場合の作用を示すグラフであり、外気温度Ｔ０が−８℃で暖房起動あるいは除霜復帰（以下単に暖房起動等という）したときの短配管時の暖房起動から除霜運転開始周辺までのコンプレッサ２の吐出温度とその推定値の変動を、図１０で示す従来例と時間軸（横軸）を一致させて対応して示している。
【００６７】
すなわち、図７と図１０とに示すように、本実施形態と従来例と共に、室外熱交換器６の着霜が増えるに従って、この室外熱交換器６の熱交換機能が低下し、蒸発量が減少するので、コンプレッサ２への冷媒の液バック量が増加する。
【００６８】
これを防止するために、電子膨張弁５の開度が徐々に絞られ、室内熱交換器４への冷媒ホールド量が増加していく。従来の低下量検出方式に基づくＡ，Ｂ，Ｃゾーンでは、これらのゾーンにそれぞれ入る前に、室内熱交温度センサ１２の位置が過冷却状態になり、吐出温度を低目に推定してしまうので、コンプレッサ２の運転周波数が順次上昇させられてケースサーモ動作による異常停止に至ってしまう。
【００６９】
しかし、本実施形態では、室外熱交温度最低値ＴＥ０と室外熱交温度ＴＥとの差（ＴＥ０−ＴＥ）の如何に拘らず、除霜間隔時間Ｔ１の例えば８０分（または１５０分）経過時毎に除霜運転に入るので、室内熱交温度センサ１２の位置が過冷却状態に至る前に、除霜運転に入ることができる。このために、コンプレッサ２のケースサーモによる異常停止を未然に防止することができ、暖房運転を継続することができるので、暖房効率の向上を図ることができる。しかも、吐出温度センサを省略することができるので、コスト低減を図ることができる。
【００７０】
そして、図８で示す従来方式では、例えば外気温度が−５℃で暖房起動したときには、室外熱交温度最低値ＴＥ０が−８℃で、室外熱交温度ＴＥが−１０．５℃に到達し、その状態が３分間継続したときに、Ａゾーンに入って、除霜運転が開始される。
【００７１】
しかし、長配管接続や冷媒量不足の暖房起動時には、室外熱交温度最低値ＴＥ０が低下し、さらに、この最低値ＴＥ０が低下し、さらに、この最低値ＴＥ０検出後に外気温度Ｔ０が上昇した場合には、室外熱交温度ＴＥも高くなるので、これら両者の低下量（ＴＥ０−ＴＥ）が小さくなり、従来の低下量方式に基づくＡ，Ｂ，Ｃゾーンに入りにくくなり、除霜運転が開始されにくくなる。
【００７２】
このために、Ａ〜Ｃゾーンしかない従来例では室外熱交換器６の着霜過剰による暖房能力低下をきたすが、本実施形態ではかかる低下量（ＴＥ０−ＴＥ）の如何に拘らず、除霜間隔時間Ｔ１経過毎に除霜運転を実行することができるので、室外熱交換器６の着霜過剰を有効に防止することができる。その結果、室外熱交換器の着霜過剰に起因する圧縮機のケースサーモによる異常停止を防止ないし低減することができる。
【００７３】
【発明の効果】
以上説明したように本発明によれば、低外気温の暖房運転時に所定時間経過毎に除霜運転を行なうので、吐出温度センサがなくてもコンプレッサのケースサーモによる異常停止に至らず運転を継続できると共に、除霜運転開始の遅れに伴う着霜過剰による暖房能力低下を防止できる。
【図面の簡単な説明】
【図１】本発明の一実施形態に係る除霜運転開始ゾーン（領域）をそれぞれ示す図。
【図２】本発明の一実施形態に係る空気調和機の冷凍サイクル図。
【図３】図１，図２で示す実施形態の制御系の全体構成を示すブロック図。
【図４】図１，図２で示す実施形態の外気温度によりＤ，Ｅゾーンを充足させるための条件を示す図。
【図５】図１，図２で示す実施形態の室外熱交温度によりＤ，Ｅゾーンを充足させるための条件を示す図。
【図６】図１，図２で示す実施形態の室外熱交温度最低値によりＤ，Ｅゾーンを充足させるための条件を示す図。
【図７】図１，図２で示す実施形態の作用を示すグラフ。
【図８】従来の除霜運転開始ゾーン（領域）をそれぞれ示す図。
【図９】従来の各除霜運転開始ゾーン（領域）に入るための条件を示す図。
【図１０】図８，図９で示す従来例の暖房運転時の作用を示すグラフ。
【符号の説明】
１  空気調和機
２  コンプレッサ
３  四方弁
４  室内熱交換器
６  室外熱交換器
９  室外熱交温度センサ
１０  外気温センサ
１１  室温センサ
１２  室内熱交温度センサ
１５  室外制御部
１６  室内制御部
１６ａ  除霜運転制御手段
【図１】
0004156097.tif 000011
【図２】
0004156097.tif 000012
【図３】
0004156097.tif 000013
【図４】
0004156097.tif 000014
【図５】
0004156097.tif 000015
【図６】
0004156097.tif 000016
【図７】
0004156097.tif 000017
【図８】
0004156097.tif 000018
【図９】
0004156097.tif 000019
【図１０】
0004156097.tif 000020